(57)【要約】【課題】  建物全体の消費電力量に応じて、効率よくエレベータの省エネ制御を行うエレベータ制御装置およびエレベータ制御方法を提供する。【解決手段】  実施形態によればエレベータ制御装置は、計測値取得部と、平均消費電力量算出部と、運転制御部とを備える。計測値取得部は、エレベータが設置された建物全体の消費電力計測値を、所定時間間隔で取得する。平均消費電力量算出部は、所定期間の建物全体の消費電力計測値から、単位時間当たりの平均消費電力量を所定時間間隔で算出する。運転制御部は、算出された平均消費電力量が予め設定された第１閾値を上回ったときには、エレベータの乗りかごを予め設定された階床に移動させてエレベータを休止させ、エレベータを休止させた後、平均消費電力量が第１閾値よりも低い第２閾値を下回ったときには、エレベータの休止状態を解除して通常運転も戻す。【選択図】図１
2015030551.tif 000002
【特許請求の範囲】
【請求項１】
エレベータが設置された建物全体の消費電力計測値を、所定時間間隔で取得する計測値取得部と、
所定期間の前記建物全体の消費電力計測値から、単位時間当たりの平均消費電力量を所定時間間隔で算出する平均消費電力量算出部と、
前記平均消費電力量算出部で算出された平均消費電力量が予め設定された第１閾値を上回ったときには、前記エレベータの乗りかごを予め設定された階床に移動させて前記エレベータを休止させ、前記エレベータを休止させた後、前記平均消費電力量算出部で算出された平均消費電力量が、前記第１閾値よりも低い第２閾値を下回ったときには、前記エレベータの休止状態を解除して通常運転に戻す運転制御部と、
を備えることを特徴とするエレベータ制御装置。
【請求項２】
エレベータが設置された建物全体の消費電力計測値を、所定時間間隔で取得する計測値取得部と、
所定期間の前記建物全体の消費電力計測値から、単位時間当たりの平均消費電力量を所定時間間隔で算出する平均消費電力量算出部と、
前記平均消費電力量算出部で算出された平均消費電力量が予め設定された第１閾値を上回ったときには、前記エレベータを低速運転に切り替え、前記低速運転への切り替え後、前記平均消費電力量算出部で算出された平均消費電力量が、前記第１閾値よりも低い第２閾値を下回ったときには、前記エレベータを定格速度運転に切り替える運転制御部と、
を備えることを特徴とするエレベータ制御装置。
【請求項３】
エレベータが設置された建物全体の消費電力計測値を、所定時間間隔で取得し、
所定期間の前記建物全体の消費電力計測値から、単位時間当たりの平均消費電力量を所定時間間隔で算出するエレベータ制御装置が、
算出された平均消費電力量が予め設定された第１閾値を上回ったときには、前記エレベータの乗りかごを予め設定された階床に移動させてエレベータを休止させ、前記エレベータを休止させた後、算出された平均消費電力量が、前記第１閾値よりも低い第２閾値を下回ったときには、前記エレベータの休止状態を解除して通常運転に戻す
ことを特徴とするエレベータ制御方法。
【請求項４】
エレベータが設置された建物全体の消費電力計測値を、所定時間間隔で取得し、
所定期間の前記建物全体の消費電力計測値から、単位時間当たりの平均消費電力量を所定時間間隔で算出するエレベータ制御装置が、
算出された平均消費電力量が予め設定された第１閾値を上回ったときには、前記エレベータを低速運転に切り替え、前記低速運転への切り替え後、算出された平均消費電力量が、前記第１閾値よりも低い第２閾値を下回ったときには、前記エレベータを定格速度運転に切り替える
ことを特徴とするエレベータ制御方法。
【発明の詳細な説明】
【技術分野】
【０００１】
本発明の実施形態は、エレベータ制御装置およびエレベータ制御方法に関する。
【背景技術】
【０００２】
一般的に、建物で消費される電力量は季節や時間帯等によって大きく変動するが、消費電力量（需要）と発電量（供給）とは常にバランスが保たれていることが必要である。
【０００３】
そのため、消費電力量が高くなることが予測されるときには、供給可能な電力量を超えないように建物内の電力使用設備の運転を制御することが求められる。
【先行技術文献】
【特許文献】
【０００４】
【特許文献１】特開２０１３−６３８２７号公報
【発明の概要】
【発明が解決しようとする課題】
【０００５】
建物内の消費電力量を削減するため、電力使用設備の１つであるエレベータを省エネ制御することが考えられる。
【０００６】
エレベータについては、乗りかごの昇降速度、乗りかご内の荷重量、乗りかごと釣り合い錘との位置関係等、エレベータの運転状況に応じた制御による省エネルギー化が既に行われている。
【０００７】
しかし、エレベータの運転状況のみならず、建物全体の消費電力量との関係を考慮したさらに効率のよいエレベータの省エネ制御が望まれていた。
【０００８】
本発明は上記事情に鑑みてなされたものであり、建物全体の消費電力量に応じて、効率よくエレベータの省エネ制御を行うエレベータ制御装置およびエレベータ制御方法を提供することを目的とする。
【課題を解決するための手段】
【０００９】
上記目的を達成するための実施形態によればエレベータ制御装置は、計測値取得部と、平均消費電力量算出部と、運転制御部とを備える。計測値取得部は、エレベータが設置された建物全体の消費電力計測値を、所定時間間隔で取得する。平均消費電力量算出部は、所定期間の建物全体の消費電力計測値から、単位時間当たりの平均消費電力量を所定時間間隔で算出する。運転制御部は、算出された平均消費電力量が予め設定された第１閾値を上回ったときには、エレベータの乗りかごを予め設定された階床に移動させてエレベータを休止させ、エレベータを休止させた後、平均消費電力量が第１閾値よりも低い第２閾値を下回ったときには、エレベータの休止状態を解除して通常運転も戻す。
【図面の簡単な説明】
【００１０】
【図１】一実施形態によるエレベータ制御装置を利用したビル省エネシステムの構成を示すブロック図。
【図２】一実施形態によるエレベータ制御装置の動作を示すフローチャート。
【図３】一実施形態によるエレベータ制御装置の平均消費電力量算出部で平均消費電力量の算出対象とする消費電力計測値の期間を示す説明図。
【図４】一実施形態によるエレベータ制御装置で取得される消費電力計測値の変動の一例を示すグラフ。
【発明を実施するための形態】
【００１１】
〈一実施形態によるエレベータ制御装置を利用した省エネシステムの構成〉
本発明の一実施形態によるエレベータ制御装置を利用した省エネシステムの構成について、図１を参照して説明する。
【００１２】
本実施形態によるビル省エネシステム１はエレベータ１０が設置された建物に備えられ、当該建物内で使用する電力を外部から受電する建屋電力受電設備２０と、当該建物全体で消費された電力量を所定時間間隔で計測する電力計測器３０と、エレベータ１０の運転を制御するエレベータ制御装置４０とを有する。
【００１３】
エレベータ制御装置４０は、基準電力量記憶部４１と、計測値取得部４２と、計測値記憶部４３と、平均消費電力量算出部４４と、電力量比較部４５と、運転制御部４６とを有する。
【００１４】
基準電力量記憶部４１は、エレベータの運転を制御する際に利用する、建物消費電力量の基準値である第１閾値X1および第２閾値X2を記憶する。第１閾値X1は、エレベータの通常運転をパーキング運転に切り替えるか否かを判定するための建物消費電力量の基準値であり、第２閾値X2はパーキング状態のエレベータを通常運転に戻すか否かを判定するための建物消費電力量の基準値であり、第１閾値X1よりも低い値である。
【００１５】
計測値取得部４２は、電力計測器３０で計測された消費電力計測値を所定時間間隔で取得する。
【００１６】
計測値記憶部４３は、計測値取得部４２で取得された消費電力計測値を記憶する。
【００１７】
平均消費電力量算出部４４は、計測値記憶部４３に記憶された消費電力計測値のうち、最新の所定期間の消費電力計測値を用いた移動平均を求めることにより、単位時間当たりの平均消費電力量を所定時間間隔で算出する。
【００１８】
電力量比較部４５は、通常運転時に、平均消費電力量算出部４４で算出された平均消費電力量と基準電力量記憶部４１に記憶された第１閾値X1とを比較し、平均消費電力量が第１閾値X1を超えたか否かを判定する。また、エレベータ１０がパーキング状態になっている時に、平均消費電力量算出部４４で算出された平均消費電力量と基準電力量記憶部４１に記憶された第２閾値X2とを比較し、平均消費電力量が第２閾値X2を下回ったか否かを判定する。
【００１９】
運転制御部４６は、通常運転時に電力量比較部４５において平均消費電力量が第１閾値X1を超えたと判定されたときには、エレベータ１０をパーキング運転に切り替え、乗りかごを予め設定された基準階に移動させてパーキング状態（休止状態）にする。また、パーキング状態時に電力量比較部４５において平均消費電力量が第２閾値X2を下回ったと判定されたときは、エレベータ１０のパーキング状態を解除して通常運転に戻す。
【００２０】
〈一実施形態によるエレベータ制御装置を利用した省エネシステムの動作〉
次に、本実施形態によるビル省エネシステム１の動作について説明する。
【００２１】
ビル省エネシステム１の電力計測器３０では、建屋電力受電設備２０から受電され当該建物内で消費された建物消費電力量が、所定時間間隔で計測されている。
【００２２】
このように建物消費電力量が計測され、エレベータ１０が通常運転されている状態で、当該建物内の省エネ制御が実行される際のエレベータ制御装置４０の動作を、図２のフローチャートを参照して説明する。
【００２３】
まず、エレベータ制御装置４０の計測値取得部４２において、電力計測器３０から建屋消費電力計測値が所定時間間隔（例えば１分間隔）で取得される。取得された建屋消費電力計測値は、計測値記憶部４３に記憶される（Ｓ１）。
【００２４】
次に、予め設定された判定タイミングが到来したか否かが判定される（Ｓ２）。判定タイミングが到来したか否かは、前回の判定タイミングから所定時間（例えば１分間）が経過したか、または内部クロックで所定の時刻が到来したかにより判定される。
【００２５】
次に、判定タイミングが到来したと判定されたとき（Ｓ２の「YES」）は、平均消費電力量算出部４４において、計測値記憶部４３から最新の所定期間（例えば５分間）の消費電力計測値が取得される。
【００２６】
取得される消費電力計測値の例を、図３に示す。図３では、時刻t5の時点では時刻t0〜t5までの５分間に該当する期間A1の消費電力計測値が取得され、時刻t6の時点では時刻t1〜t6までの５分間に該当する期間A2の消費電力計測値が取得され、時刻t7の時点では時刻t2〜t7までの５分間に該当する期間A2の消費電力計測値が取得され、・・・時刻t12の時点では時刻t7〜t12までの５分間に該当する期間A8の消費電力計測値が取得される。
【００２７】
そして、取得された最新の所定期間の消費電力計測値から移動平均を求めることにより、単位時間あたりの平均消費電力量が算出される（Ｓ３）。
【００２８】
次に、算出された平均消費電力量と基準電力量記憶部４１に記憶された第１閾値X1とが電力量比較部４５において比較され、平均消費電力量が第１閾値X1を超えたか否かが判定される（Ｓ４）。
【００２９】
電力量比較部４５において平均消費電力量が第１閾値X1を超えたと判定されたとき（Ｓ４の「YES」）は、運転制御部４６によりエレベータ１０が通常運転からパーキング運転に切り替えられ、乗りかごが予め設定された基準階に移動されエレベータ１０がパーキング状態（休止状態）に移行される（Ｓ５）。
【００３０】
エレベータ１０がパーキング状態に移行された後、さらにエレベータ制御装置４０の計測値取得部４２において、電力計測器３０から消費電力計測値が所定時間間隔（例えば１分間隔）で取得され、計測値記憶部４３に記憶される（Ｓ６）。
【００３１】
次に、ステップＳ２と同様の処理により、予め設定された判定タイミングが到来したか否かが判定される（Ｓ７）。
【００３２】
次に、判定タイミングが到来したと判定されたとき（Ｓ７の「YES」）は、平均消費電力量算出部４４において、計測値記憶部４３から最新の所定期間（例えば５分間）の消費電力計測値が取得されて移動平均が求められ、これにより単位時間あたりの平均値である平均消費電力量が算出される（Ｓ８）。
【００３３】
次に、算出された平均消費電力量と基準電力量記憶部４１に記憶された第２閾値X2とが電力量比較部４５において比較され、平均消費電力量が第２閾値X2を下回ったか否かが判定される（Ｓ９）。
【００３４】
電力量比較部４５において平均消費電力量が第２閾値X2を下回ったと判定されたとき（Ｓ９の「YES」）は、運転制御部４６により、エレベータ１０のパーキング状態が解除され、通常運転に戻される（Ｓ１０）。
【００３５】
このように処理が実行されることにより、例えば図４に示すように、時間の変動とともに消費電力量が変動した場合、時刻t21の時点では消費電力量が瞬間的に第１閾値X1を超えたものの平均消費電力量は第１閾値X1を超えていないためパーキング運転には切り替えられず、時刻t22の時点で平均消費電力量が第１閾値X1を超えたと判定され、パーキング運転に切り替えられる。
【００３６】
その後、消費電力量が低下していくが、第１閾値X1を下回った時刻t23ではエレベータ１０のパーキング状態が解除されない。さらに消費電力量が低下していき、時刻t24の時点で瞬間的に第２閾値X2を下回ったものの平均消費電力量は第２閾値X2を下回っていないためエレベータ１０のパーキング状態は解除されない。
【００３７】
さらに時間が経過し、時刻t25の時点で平均消費電力量が第２閾値X2を下回ったと判定されると、エレベータ１０のパーキング状態が解除され、通常運転に戻される。
【００３８】
以上の本実施形態によれば、建物全体の消費電力量に応じて、エレベータに対しパーキング運転の実行処理およびパーキング状態の解除処理を行うため、効率よく、建物全体のデマンド制御に貢献することができる。
【００３９】
また、エレベータに対しパーキング運転への切り替え処理およびパーキング状態の解除処理を実行する際、所定期間の移動平均を求めることにより算出した平均消費電力量に基づいて処理の要否を判定するため、瞬間的な消費電力量の上昇または下降に影響されることなく、効率よく各処理の要否を判定することができる。
【００４０】
また、平均消費電力量が第１閾値を超えたときにエレベータをパーキング運転に切り替え、その後、平均消費電力量が、第１閾値よりも低い第２閾値を下回ったときにエレベータのパーキング状態を解除するように、値が異なる２種類の閾値を利用して制御を行うことにより、パーキング運転の実行と解除とが短期間に切り替えられるような不安定な制御になることを防止することができる。
【００４１】
また上述した実施形態においては、所定期間の平均消費電力量が第１閾値X1を超えたときにエレベータをパーキング運転に切り替えて休止させる場合について説明したが、エレベータを休止させず、低速運転に切り替えることで省エネ制御を行うようにしてもよい。この場合、低速運転に切り替えた後、平均消費電力量が第２閾値X2を下回ったときに通常の定格速度の運転に切り替えることで、利用者の利便性をなるべく損なわないようにすることができる。
【００４２】
また上述した実施形態において、エレベータがパーキング運転に切り替わったとき、パーキング状態になったとき、およびパーキング状態から通常運転に切り替わったときに、これらの状態を示す報知情報を、エレベータの乗りかご内や乗場に音声や表示で出力するようにしてもよい。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
１…ビル省エネシステム
１０…エレベータ
２０…建屋電力受電設備
３０…電力計測器
４０…エレベータ制御装置
４１…基準電力量記憶部
４２…計測値取得部
４３…計測値記憶部
４４…平均消費電力量算出部
４５…電力量比較部
４６…運転制御部
【図１】
2015030551.tif 000003
【図２】
2015030551.tif 000004
【図３】
2015030551.tif 000005
【図４】
2015030551.tif 000006
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
エレベータが設置された建物全体の消費電力計測値を、所定の第１時間間隔で取得する計測値取得部と、
所定の第２時間ごとのタイミングで、前記第１時間および前記第２時間よりも長い第３期間の移動平均を求めることにより、単位時間当たりの前記建物全体の平均消費電力量を算出する平均消費電力量算出部と、
前記平均消費電力量算出部で算出された平均消費電力量が予め設定された第１閾値を上回ったときには、前記エレベータの乗りかごを予め設定された階床に移動させて前記エレベータを休止させ、前記エレベータを休止させた後、前記平均消費電力量算出部で算出された平均消費電力量が、前記第１閾値よりも低い第２閾値を下回ったときには、前記エレベータの休止状態を解除して通常運転に戻す運転制御部と、
を備えることを特徴とするエレベータ制御装置。
【請求項２】
エレベータが設置された建物全体の消費電力計測値を、所定の第１時間間隔で取得する計測値取得部と、
所定の第２時間ごとのタイミングで、前記第１時間および前記第２時間よりも長い第３期間の移動平均を求めることにより、単位時間当たりの前記建物全体の平均消費電力量を算出する平均消費電力量算出部と、
前記平均消費電力量算出部で算出された平均消費電力量が予め設定された第１閾値を上回ったときには、前記エレベータを低速運転に切り替え、前記低速運転への切り替え後、前記平均消費電力量算出部で算出された平均消費電力量が、前記第１閾値よりも低い第２閾値を下回ったときには、前記エレベータを定格速度運転に切り替える運転制御部と、
を備えることを特徴とするエレベータ制御装置。
【請求項３】
建物に設置されたエレベータの動作を制御するエレベータ制御装置が、
前記建物全体の消費電力計測値を、所定の第１時間間隔で取得し、
所定の第２時間ごとのタイミングで、前記第１時間および前記第２時間よりも長い第３期間の移動平均を求めることにより、単位時間当たりの前記建物全体の平均消費電力量を算出し、
算出された平均消費電力量が予め設定された第１閾値を上回ったときには、前記エレベータの乗りかごを予め設定された階床に移動させてエレベータを休止させ、前記エレベータを休止させた後、算出された平均消費電力量が、前記第１閾値よりも低い第２閾値を下回ったときには、前記エレベータの休止状態を解除して通常運転に戻す
ことを特徴とするエレベータ制御方法。
【請求項４】
建物に設置されたエレベータの動作を制御するエレベータ制御装置が、
前記建物全体の消費電力計測値を、所定の第１時間間隔で取得し、
所定の第２時間ごとのタイミングで、前記第１時間および前記第２時間よりも長い第３期間の移動平均を求めることにより、単位時間当たりの前記建物全体の平均消費電力量を算出し、
算出された平均消費電力量が予め設定された第１閾値を上回ったときには、前記エレベータを低速運転に切り替え、前記低速運転への切り替え後、算出された平均消費電力量が、前記第１閾値よりも低い第２閾値を下回ったときには、前記エレベータを定格速度運転に切り替える
ことを特徴とするエレベータ制御方法。
【手続補正２】
【補正対象書類名】明細書
【補正対象項目名】０００９
【補正方法】変更
【補正の内容】
【０００９】
上記目的を達成するための実施形態によればエレベータ制御装置は、計測値取得部と、平均消費電力量算出部と、運転制御部とを備える。計測値取得部は、エレベータが設置された建物全体の消費電力計測値を、所定の第１時間間隔で取得する。平均消費電力量算出部は、所定の第２時間ごとのタイミングで、前記第１時間および前記第２時間よりも長い第３期間の移動平均を求めることにより、単位時間当たりの建物全体の平均消費電力量を算出する。運転制御部は、算出された平均消費電力量が予め設定された第１閾値を上回ったときには、エレベータの乗りかごを予め設定された階床に移動させてエレベータを休止させ、エレベータを休止させた後、平均消費電力量が第１閾値よりも低い第２閾値を下回ったときには、エレベータの休止状態を解除して通常運転も戻す。